(57)【特許請求の範囲】
【請求項１】
投入口を介して回転ドラム式の貯留機の内部に塵芥を投入可能とする塵芥投入装置において、
操作ハンドル部と前記塵芥を収容可能な収容部とを有し、前記投入口の下辺に沿う第一回動軸を介して第一支持部に取り付けられることで、前記収容部を前記投入口の外側に位置させて前記塵芥を受け入れ可能とする外側回動位置と、前記収容部を前記投入口の内側に位置させて前記塵芥を落下させる内側回動位置との間で回動可能とされた下蓋部と、
前記投入口の上辺に沿う第二回動軸を介して第二支持部に取り付けられることによって、前記内側回動位置にある前記下蓋部とともに前記投入口を閉塞する閉塞位置と、該投入口を開放する開放位置との間で回動可能とされた上蓋部と、
前記下蓋部を前記内側回動位置に回動させた場合に前記上蓋部を前記閉塞位置に回動させるとともに、前記下蓋部を前記外側回動位置に回動させた場合に前記上蓋部を前記開放位置に回動させるリンク機構と、
を備え、
前記下蓋部は、前記内側回動位置に回動された場合に前記投入口の下部を閉塞する下前板部と、該下前板部の前記第一回動軸側に連なり前記下前板部との角度が鈍角をなす下後板部とを備え、
前記上蓋部は、前記閉塞位置に回動された場合に前記投入口の上部を閉塞する上前板部と、該上前板部の前記第二回動軸側に連なり前記上前板部との角度が鈍角をなす上後板部とを備えることを特徴とする塵芥投入装置。
【請求項２】
前記下前板部は、
前記下蓋部を外側回動位置に回動させた場合に、水平位置よりも下側に位置されることを特徴とする請求項１に記載の塵芥投入装置。
【請求項３】
前記下蓋部および前記上蓋部は、前記下蓋部と前記上蓋部との開時および閉時の重量バランスにより、開状態および閉状態で保持されることを特徴とする請求項１又は２に記載の塵芥投入装置。
【請求項４】
前記下蓋部および前記上蓋部の開閉速度を制御するダンパーを備えることを特徴とする請求項１乃至３の何れか一項に記載の塵芥投入装置。
【請求項５】
前記下蓋部と前記上蓋部との少なくとも一方を付勢することで前記下蓋部および前記上蓋部の開作動又は閉作動を補助する補助機構を備えることを特徴とする請求項１乃至４の何れか一項に記載の塵芥投入装置。
【請求項６】
請求項１乃至５の何れか一項に記載の塵芥投入装置と、前記回転ドラム式の塵芥貯留機とを備える塵芥貯留システム。
【発明の詳細な説明】
【技術分野】
【０００１】
この発明は、回転ドラム式の貯留機へ塵芥を投入する塵芥投入装置および該塵芥投入装置を備える塵芥貯留システムに関するものである。
【背景技術】
【０００２】
マンションなどの集合住宅においては、各家庭から出る塵芥を塵芥収集車が回収に来るまでの間、一時的に貯留する貯留機が設置されている場合がある。
この種の貯留機としては、ドラム内部に投入された塵芥をドラムの回転により排出口側に圧縮して貯留する回転ドラム式の貯留機が知られている。
この回転ドラム式の貯留機は、塵芥収集車の受入口に対応した高さ位置に排出口が配置されており、この排出口とは反対側に、利用者が塵芥を投入する投入口が配置されている。
利用者が投入した塵芥は、投入口からスライダーを介して斜め下方に滑り落ちることでドラム内に導入され、ドラム内で排出口側へと圧縮されて貯留された後、排出口を介して塵芥収集車に受け渡される。
【０００３】
上記回転ドラム式の貯留機は、排出口の位置を塵芥収集車の受入口の位置に対応させるために、排出口の高さを基準にしてドラムの設置高さを決めている。そのため、塵芥収集車が塵芥回収時に乗り入れるスペースのレベルと、貯留機が設置されるフロアレベルと、利用者が投入口に塵芥を投入する場所のフロアレベルとが同レベルの場合、投入口の位置が比較的高い位置となって、背丈の低い利用者が塵芥を投入し難かった。そこで、投入口に向けて昇降台や、階段等を設けて嵩上げするようにしたものがある（例えば、特許文献１参照）。
また、塵芥を比較的低い位置で受け取った後、モータ等の動力を用いて上方に搬送して貯留機の投入口へ反転投入する投入装置が提案されている（例えば、特許文献２参照）。
【先行技術文献】
【特許文献】
【０００４】
【特許文献１】特許第４２５１６３８号公報
【特許文献２】特許第４３４５９２３号公報
【発明の概要】
【発明が解決しようとする課題】
【０００５】
しかしながら、上述した昇降台や階段を設けている場合、昇降台や階段の昇り降りが高齢者などにとって負担になるとともに、昇降台や階段が邪魔になって車椅子の利用者が投入口へ接近し難くなるという課題がある。
さらに、塵芥を上方に搬送する投入装置を設けている場合、低い位置で塵芥を投入できるものの、装置が複雑化してコストが上昇してしまうと共に、装置が大型化して貯留機の設置自由度が低下してしまうという課題がある。
【０００６】
この発明は、上記事情に鑑みてなされたものであり、装置が複雑化してコストが上昇したり設置自由度が低下することなしに、高齢者や車椅子の利用者であっても塵芥を投入し易い塵芥投入装置および塵芥貯留システムを提供するものである。
【課題を解決するための手段】
【０００７】
上記の課題を解決するために、以下の構成を採用する。
本発明に係る塵芥投入装置は、投入口を介して回転ドラム式の貯留機の内部に塵芥を投入可能とする塵芥投入装置において、操作ハンドル部と前記塵芥を収容可能な収容部とを有し、前記投入口の下辺に沿う第一回動軸を介して第一支持部に取り付けられることで、前記収容部を前記投入口の外側に位置させて前記塵芥を受け入れ可能とする外側回動位置と、前記収容部を前記投入口の内側に位置させて前記塵芥を落下させる内側回動位置との間で回動可能とされた下蓋部と、前記投入口の上辺に沿う第二回動軸を介して第二支持部に取り付けられることによって、前記内側回動位置にある前記下蓋部とともに前記投入口を閉塞する閉塞位置と、該投入口を開放する開放位置との間で回動可能とされた上蓋部と、前記下蓋部を前記内側回動位置に回動させた場合に前記上蓋部を前記閉塞位置に回動させるとともに、前記下蓋部を前記外側回動位置に回動させた場合に前記上蓋部を前記開放位置に回動させるリンク機構と、を備えることを特徴とする。
このようにすることで、下蓋部が外側回動位置まで回動されると、リンク機構を介して上蓋部が開放位置まで回動されて、収容部に塵芥を収納可能な状態になり、塵芥を収納部に収納した状態で、下蓋部を内側回動位置まで回動させることで、塵芥を貯留機の内部に投入することができる。さらに、下蓋部を内側回動位置まで回動させた際には、リンク機構を介して上蓋部が閉塞位置まで回動されるので、下蓋部と上蓋部とにより投入口を閉塞することができる。
そして、上蓋部と下蓋部との二枚蓋にしていることで、投入口の下辺に沿う回動軸回りに一枚蓋を設ける場合よりも、操作ハンドル部の位置をより低い位置に配置することができるため、昇降台や階段を設置しないでも、操作ハンドル部を操作することが可能となる。
さらに、操作ハンドル部の位置を低い位置にしつつ投入口の開口面積を従来同様に確保することができるため、収納部に従来と同等の大きさの塵芥を投入することが可能となる。
また、上記一枚蓋の場合よりも下蓋部の回動半径が小さくなるので、利用者による操作ハンドル部の操作量（操作半径）を小さくすることができる。
したがって、装置の複雑化によるコストの上昇や、設置自由度の低下を抑制しつつ高齢者や車椅子の利用者が容易に塵芥を投入することができる。
【０００８】
さらに、本発明の塵芥投入装置は、上記塵芥投入装置において、前記下蓋部が、前記内側回動位置に回動された場合に前記投入口の下部を閉塞する下前板部と、該下前板部の前記第一回動軸側に連なり前記下前板部との角度が鈍角をなす下後板部とを備え、前記上蓋部が、前記閉塞位置に回動された場合に前記投入口の上部を閉塞する上前板部と、該上前板部の前記第二回動軸側に連なり前記上前板部との角度が鈍角をなす上後板部とを備えていてもよい。
このようにすることで、下蓋部を外側回動位置まで回動させた場合に、塵芥を収容する十分なスペースを確保しつつ、上後蓋部によって貯留機の内部が見えないようにすることができる。また、下蓋部を内側回動位置まで回動させた場合には、下後板部が塵芥を滑り落とすスライダーとして機能するため、塵芥をスムーズに貯留機内に収容させることができる。
【０００９】
さらに、本発明の塵芥投入装置は、上記塵芥投入装置において、前記下前板部が、前記下蓋部を外側回動位置に回動させた場合に、水平位置よりも下側位置まで回動されるようにしてもよい。
このようにすることで、下蓋部を外側回動位置に回動させた場合に、下蓋部をより低い位置に配置させることができるため、下蓋部の収納部に塵芥を収納する際に、利用者が塵芥を持ち上げる高さがより低くなり、更なる利用者の負担軽減を図ることができる。
【００１０】
さらに、本発明の塵芥投入装置は、上記塵芥投入装置において、前記下蓋部および前記上蓋部は、前記下蓋部と前記上蓋部との開時および閉時の重量バランスにより、開状態および閉状態で保持されるようにしてもよい。
このようにすることで、下蓋部および上蓋部を閉状態で保持する保持機構を別途設けることなしに、下蓋部および上蓋部の閉状態を維持できると共に、塵芥を収納させる際には、下蓋部および上蓋部を開状態に維持するために利用者が下蓋部又は上蓋部を押さえ続ける必要が無いため、塵芥を投入する際の利用者の負担を軽減することができる。
【００１１】
さらに、本発明の塵芥投入装置は、上記塵芥投入装置において、前記下蓋部および前記上蓋部の開閉速度を制御するダンパーを備えていてもよい。
このようにすることで、下蓋部と上蓋部との急な動きを抑制することができるため、塵芥の投入に不慣れな利用者であっても快適に利用することができる。
【００１２】
さらに、本発明の塵芥投入装置は、上記塵芥投入装置において、前記下蓋部と前記上蓋部との少なくとも一方を付勢することで前記下蓋部および前記上蓋部の開作動又は閉作動を補助する補助機構を備えていてもよい。
このようにすることで、より少ない力で下蓋部および上蓋部を開放又は閉塞することができるため、塵芥を貯留機に投入する際の利用者の負担を軽減することができる。
【００１３】
また、本発明の塵芥貯留システムは、上記本発明の塵芥投入装置と、回転ドラム式の貯留機とを備えることを特徴としている。
このようにすることで、投入口の高さを低くすることが困難な回転ドラム式の貯留機において、投入口の高さを変更することなしに、利用者が操作する操作ハンドル部の位置を低く設定することができるため、投入口に向かう昇降台や階段等を設ける必要が無くなり、高齢者や車椅子の利用者が快適に利用できる。
【発明の効果】
【００１４】
本発明に係る塵芥投入装置および、該塵芥投入装置を備える塵芥貯留システムによれば、下蓋部のみの開閉操作により塵芥を貯留機に投入できるため、利用者が操作する操作ハンドル部の操作量を一枚扉の場合と比較して小さくすることができ、さらに、下蓋部に操作ハンドル部が設けられるので、投入口の位置を変更することなしに操作ハンドル部をより低い位置に配置することができる。したがって、装置の複雑化によるコストの上昇や、設置自由度の低下を抑制しつつ高齢者や車椅子の利用者が容易に塵芥を投入することが可能になる。
【図面の簡単な説明】
【００１５】
【図１】本発明の実施形態における塵芥貯留システムの側面図である。
【図２】本発明の実施形態における塵芥投入装置の斜視図である。
【図３】上記塵芥投入装置により投入口が開放された状態を示す側面図である。
【図４】上記塵芥投入装置により投入口が閉塞された状態を示す側面図である。
【図５】他の実施例における図３に相当する側面図である。
【発明を実施するための形態】
【００１６】
次に、この発明の実施形態における塵芥投入装置１および、該塵芥投入装置を備えた塵芥貯留システム１００について図面を参照しながら説明する。
図１は、この実施形態の塵芥貯留システム１００を示す側面図であり、この図１に示す塵芥貯留システム１００は、主に、塵芥ｇを内部に貯留する貯留機２と、該貯留機２の内部へ塵芥ｇを投入するための塵芥投入装置１とを備えて構成される。
【００１７】
貯留機２は、家庭で出た塵芥ｇを一時的に収容する装置であり、塵芥投入装置１は、貯留機２に塵芥ｇを投入するための装置である。
貯留機２は、その一端側から塵芥ｇが投入可能とされる一方、投入された塵芥ｇを他端側から強制的に排出可能となっており、略円筒状の貯留本体部３と、この貯留本体部３を支持するフレーム部４とを備えている。フレーム部４は、貯留機２を下方から支える水平フレーム部５を備えており、この水平フレーム部５には、貯留本体部３の軸線に平行な軸線を有する左右一対のローラー６が、貯留本体部３の軸方向に十分に離間してそれぞれ設けられている。これらローラー６の上には、貯留本体部３が載置されて、ローラー６の回動により、貯留本体部３がその軸回りに回転可能な状態でフレーム部４に支持される。なお、以下の説明では、貯留本体部３の軸線方向において、塵芥ｇを排出する側を単に排出側、塵芥ｇが投入される側を単に投入側と称する。
【００１８】
水平フレーム部５の排出側には、貯留本体部３の軸線と平行な出力軸８を有する電動機７が取り付けられており、この電動機７の出力軸８の軸端部に取り付けられたプーリー９と、貯留本体部３の排出側に形成された傾斜部１０の外周との間にベルト１１が掛け回されている。電動機７を作動させることで、その回転動力がベルト１１を通じて貯留本体部３に伝達されて貯留本体部３が回動されることとなる。なお、ベルト１１を介して電動機７と貯留本体部３とを連係させる場合について説明したが、電動機７と貯留本体部３とを歯車機構を用いて連係することで貯留本体部３を回転駆動するようにしてもよい。
【００１９】
貯留本体部３の内部には、螺旋翼（図示せず）などの押し込み機構が設けられており、この押し込み機構によって、貯留本体部３が所定の圧縮方向に回動されると、貯留本体部３の内部に投入された塵芥ｇが排出方向へ押し込まれて圧縮されるようになっている。
【００２０】
水平フレーム部５には、下方に向かって脚部１２が突出して設けられており、この脚部１２の長さを変化させることで貯留機２の設置レベル（フロアからの高さ）が調整可能になっている。通常、貯留機２の設置レベルは、貯留機２の排出口１３が塵芥収集車１４の受入口１５に対応した高さとなるように、より具体的には、排出口１３から塵芥収集車１４の受入口１５に塵芥ｇを円滑に受け渡すことが可能な高さとなるように設定される。
【００２１】
水平フレーム部５の排出側の端部には、鉛直上方に延びる縦フレーム部１６が立設されており、この縦フレーム部１６の上下略中央に貯留本体部３の排出口１３が支持されている。さらに、縦フレーム部１６には、電動機や油圧シリンダーなどによって排出口１３を開閉する出口開閉機構１７が設けられるとともに、排出口１３から排出された塵芥ｇを塵芥収集車１４の受入口１５まで滑り落とすためのスライダー１８が取り付けられている。
上述した構成によれば、塵芥収集車１４の受入口１５がスライダー１８に対して適正な位置に配置された状態で、電動機７を駆動して貯留本体部３を回動させ、出口開閉機構１７により排出口１３を開放すると、貯留本体部３の内部に貯留されて排出側に圧縮された塵芥ｇが、排出口１３から強制的に排出されて、スライダー１８を滑り落ちて塵芥収集車１４の受入口１５に導入されることとなる。
【００２２】
貯留機２は、貯留本体部３の投入側に建屋等の構造物の壁部２０が隣接するように配置されており、この壁部２０には、塵芥ｇを貯留機２内部へ投入するための正面視略矩形の孔２０ａが穿設されている。この孔２０ａには、正面視略矩形の投入口２１を有した塵芥投入装置１が取り付けられ、塵芥投入装置１から貯留機２の内部下側に向かって投入用スライダー２２が取り付けられている。投入用スライダー２２は、所定の傾斜角度（好ましくは４５度以上）を有し、その投入用スライダー２２の下端が貯留本体部３の内部に臨んでいる。ここで、上記所定の傾斜角度とは、投入口２１から投入された塵芥ｇが、投入用スライダー２２を円滑に滑り落ちることができる傾斜角度である。また、上記壁部２０に形成される投入口２１のフロアからの高さは、投入用スライダー２２を所定の傾斜角度にできる高さに設定される。
【００２３】
図２は、この実施形態における塵芥投入装置１を示す斜視図であり、図３は、塵芥投入装置１の下蓋部２３が外側回動位置に配置された側面図、図４は下蓋部２３が内側回動位置に配置された側面図である。
図２〜図４に示す如く、壁部２０に形成された孔２０ａの内周面にはブラケット２０ｂが取り付けられ、このブラケット２０ｂに、投入口２１の周壁を形成する額縁部２０ｃがビス等により固定されている。投入口２１の下辺近傍、より具体的には下辺の左右両側には、第一支持部２４が設けられ、第一支持部２４には、投入口２１の下辺に沿う（換言すれば、投入口２１の下端近傍に設けられ略水平な）第一回動軸２５を介して下蓋部２３が回動可能に取り付けられている。投入口２１の上辺近傍、より具体的には上辺の左右両側には第二支持部２６が設けられ、第二支持部２６には、投入口２１の上辺に沿う（換言すれば、投入口２１の上端近傍に設けられ略水平な）第二回動軸２７を介して上蓋部２８が回動可能に取り付けられている。
【００２４】
下蓋部２３は、塵芥ｇを収容可能な定量バケットとしての収容部２９を有し、この収容部２９を投入口２１の外側に位置させて塵芥ｇを受け入れる外側回動位置（図２、図３参照）と、収容部２９を投入口２１の内側に位置させて塵芥ｇを投入用スライダー２２に落下させる内側回動位置（図４参照）との間で回動可能とされる。
【００２５】
下蓋部２３は、内側回動位置において投入口２１の下部を閉塞する下前板部３１と、この下前板部３１の第一回動軸２５側に連なり、下前板部３１との角度が鈍角（例えば、１２０度程度）をなす下後板部３２と、これら下前板部３１と下後板部３２とを左右側方から挟み込む左右一対の下側板部３３と、左右方向に延在する帯状の前板部３４とを備えて構成される。
【００２６】
下後板部３２は、下前板部３１の第一回動軸２５側の端部に溶接や屈曲により連なって形成されており、下側板部３３は、下前板部３１と下後板部３２とのなす角度と同等の角度を有する扇状に形成されている。また、前板部３４は、下前板部３１の第一回動軸２５とは反対側の前辺から、下前板部３１とは略垂直に交わる方向に立ち上がるように溶接や屈曲形成等により下前板部３１に接続されている。
【００２７】
つまり、下蓋部２３が外側回動位置にされたときに、下前板部３１が底壁とされ、その周縁がそれぞれ下後板部３２、下側板部３３、前板部３４とで囲まれて、塵芥ｇを収容する収容部２９が形成されている。
【００２８】
上蓋部２８は、第二回動軸２７を介して第二支持部２６に取り付けられることで、投入口２１の上部を閉塞する閉塞位置と、投入口２１の上部を開放する開放位置との間で回動可能とされている。上蓋部２８は、閉塞位置において、内側回動位置に回動された下蓋部２３の下前板部３１とともに投入口２１を閉塞する上前板部３６と、この上前板部３６の第二回動軸２７側に連なり、上前板部３６との角度が鈍角（例えば、１２０度程度）をなす上後板部３７と、これら上前板部３６と上後板部３７とを側方から挟みこむ左右一対の上側板部３８とを備えて構成される。上側板部３８の第二回動軸２７とは反対側の縁部には、第二回動軸２７側に向かって凹となる湾曲部３９が形成されている。
【００２９】
上述した下蓋部２３と上蓋部２８とは、下蓋部２３を内側回動位置に回動させた場合（図４参照）に上蓋部２８を閉塞位置に回動させるとともに、下蓋部２３を外側回動位置に回動させた場合（図３参照）に上蓋部２８を開放位置に回動させる左右一対のリンク部材４１により連係されている。リンク部材４１は、上蓋部２８の左側の上側板部３８、および下蓋部２３の左側の下側板部３３の間に掛け渡されるとともに、上蓋部２８の右側の上側板部３８、および下蓋部２３の右側の下側板部３３の間に掛け渡される。また、リンク部材４１は、その長手方向の一端部が、下側板部３３の前板部３４近傍において、下蓋部２３の回動方向と同じ方向に回動自在に支持され、長手方向の他端部が、上側板部３８の上後板部３７側において、上蓋部２８の回動方向と同じ方向に回動自在に支持されている。
【００３０】
図４を参照し、下蓋部２３の下前板部３１には、下蓋部２３を回動操作するための操作ハンドル部４２が取り付けられている。この操作ハンドル部４２は、下蓋部２３が内側回動位置とされた場合の下前板部３１の外面の上辺近傍に配置される。このように上辺近傍に配置することで、操作ハンドル部４２の位置を第一回動軸２５からより離間配置することができるため、下蓋部２３を開閉操作する際により小さな作動力で下蓋部２３を開閉できるようになる。なお、図２に示す操作ハンドル部４２の形状は一例であって、下蓋部２３を回動操作できる形状であれば、図２の操作ハンドル部４２の形状に限られるものではない。
【００３１】
さらに、下蓋部２３の下前板部３１には、下蓋部２３が内側回動位置とされた場合の、下前板部３１の上縁に沿って、オーバーラップ部４３が取り付けられている。このオーバーラップ部４３は、下前板部３１と上前板部３６とによって投入口２１を閉塞した際に、下前板部３１の上縁と、上前板部３６の下縁との間の隙間を塞ぐようになっている。このオーバーラップ部４３を設けていることで、とりわけ下蓋部２３と上蓋部２８との２枚蓋構造のように隙間が増加する場合であっても、臭気などが投入口２１から外部に漏洩するのを防止することができる。なお、下蓋部２３にオーバーラップ部４３を設ける場合について説明したが、上蓋部２８側に設けるようにしても良い。また、上蓋部２８および下蓋部２３の何れか一方にオーバーラップ部４３を設けた場合には、閉時にオーバーラップ部４３が干渉しないように、上蓋部２８および下蓋部２３の何れか他方よりも一方を若干遅く閉じるように遅延機構を設けるのが望ましい。
【００３２】
図３、図４に示す如く、下蓋部２３は、第一回動軸２５方向から見た重心位置Ｇが、第一回動軸２５を通る鉛直線Ｖよりも投入口２１の外側に位置した状態で放置されると、外側回動位置まで回動して、外側回動位置で保持される。一方、下蓋部２３は、第一回動軸２５方向から見た重心位置Ｇが上記鉛直線Ｖよりも投入口２１の内側に位置した状態で放置されると、内側回動位置まで回動して内側回動位置で保持される。これは、下蓋部２３の方が、上蓋部２８よりも遥かに大きさが大きく重いためであり、上蓋部２８と下蓋部２３との開時および閉時の重量バランスは、下蓋部２３の重心位置Ｇによって決まる。
【００３３】
上蓋部２８と投入口２１の上方の壁部２０との間には、上蓋部２８の開閉速度が所定の速度以上にならないように速度制限するとともに、上蓋部２８を開方向に付勢して上蓋部２８の開作動をアシストするガスダンパー４４が取り付けられている。上蓋部２８と下蓋部２３とは、上述したようにリンク部材４１で連係されていることから、上記ガスダンパー４４によって下蓋部２３の開閉速度も間接的に制限され、下蓋部２３の開作動もアシストされることとなる。なお、ガスダンパー４４によるアシスト力は、上述した上蓋部２８と下蓋部２３との重量バランスにより生じる開作動および閉作動を妨げない程度のアシスト力とされている。なお、上記ガスダンパー４４が、本発明のダンパーならびに補助機構を構成している。ガスダンパー４４が上蓋部２８を開方向に付勢する場合について説明したが、閉方向に付勢するようにしてもよく、また、緩衝機能と付勢機能とを付与することができれば上述したガスダンパー４４に限られず、例えば、スプリングを有したダンパーを設けたり、ダンパーと弾性部材とを個別に設けるようにしても良い。
【００３４】
したがって、上述した実施形態の塵芥投入装置および塵芥貯留システムによれば、
下蓋部２３が外側回動位置まで回動されると、リンク部材４１を介して上蓋部２８が開放位置まで回動されて、図３に示すように収容部２９に塵芥ｇを収納可能な状態になり、塵芥ｇを収容部２９に収容した状態で、図４に示すように下蓋部２３を内側回動位置まで回動させることで、塵芥ｇを貯留機２の内部に投入することができる。
さらに、下蓋部２３を内側回動位置まで回動させた際に、リンク部材４１を介して上蓋部２８が閉塞位置まで回動されるので、下蓋部２３と上蓋部２８とにより投入口２１を閉塞することができる。
【００３５】
そして、上蓋部２８と下蓋部２３との二枚蓋にしていることで、投入口２１の下辺に沿う回動軸回りに一枚蓋を設ける場合よりも、操作ハンドル部４２の位置をより低い位置に配置することができるため、昇降台や階段を設置しないでも、操作ハンドル部４２を操作することが可能となる。
さらに、操作ハンドル部４２の位置を低い位置にしつつ投入口２１の開口面積を従来同様に確保することができるため、収容部２９に従来と同等の大きさの塵芥ｇを投入することが可能となり、また、上記一枚蓋の場合よりも下蓋部２３の回動半径が小さくなるので、利用者による操作ハンドル部４２の操作量（操作半径）を小さくすることができる。
この結果、装置の複雑化によるコストの上昇や、設置自由度の低下を抑制しつつ高齢者や車椅子の利用者が容易に塵芥ｇを投入することができる。なお、図３、図４に示す塵芥ｇは、４０リットル程度の袋に入れられた塵芥ｇを投入する場合の一例を示している。
【００３６】
さらに、下蓋部２３が、内側回動位置に回動された場合に投入口２１の下部を閉塞する下前板部３１と、該下前板部３１の第一回動軸２５側に連なり下前板部３１との角度が鈍角をなす下後板部３２とを備え、上蓋部２８が、閉塞位置に回動された場合に投入口２１の上部を閉塞する上前板部３６と、該上前板部３６の第二回動軸２７側に連なり上前板部３６との角度が鈍角をなす上後板部３７とを備えていることで、下蓋部２３を外側回動位置まで回動させた場合に、収容部２９に塵芥ｇを収容する十分なスペースを確保することができると共に、上後板部３７によって貯留機２の内部が見えないようにすることができる。
【００３７】
さらに、下蓋部２３を内側回動位置まで回動させた場合には、下後板部３２が塵芥ｇを滑り落とすスライダーとして機能するため、塵芥ｇをスムーズに貯留機２内に収容させることができる
【００３８】
さらに、下蓋部２３と上蓋部２８との開時および閉時の重量バランスにより、開状態および閉状態を保持できるため、閉状態を保持する保持機構を別途設けることなしに投入口２１の閉塞状態を維持できると共に、下蓋部２３と上蓋部２８とを開状態にして塵芥ｇを収納させる際には、利用者が下蓋部２３または上蓋部２８を押さえ続ける必要が無いため、塵芥ｇを投入する際の利用者の負担を軽減することができる。
【００３９】
さらに、下蓋部２３および上蓋部２８の開閉速度がガスダンパー４４によって制限されて、下蓋部２３と上蓋部２８との急な動きを抑制することができるため、塵芥ｇの投入に不慣れな利用者であっても快適に利用することができる。
【００４０】
さらに、上蓋部２８がガスダンパー４４によって開放する方向に付勢されていることで、リンク部材４１を介して連係された上蓋部２８の開作動を補助することができるため、より少ない力で下蓋部２３および上蓋部２８を開放することができ、この結果、塵芥ｇを貯留機２に投入する際の利用者の負担を更に軽減することができる。
【００４１】
また、とりわけ、投入口２１の高さを低くすることが困難な回転ドラム式の貯留機２へ塵芥ｇを投入する装置として、上述した塵芥投入装置１を採用することで、投入口２１の大きさならびに高さを変更することなしに、利用者が操作する操作ハンドル部４２の位置を低く設定して、投入口２１に向かう昇降台や階段等を省略することができるため、高齢者や車椅子の利用者が快適に利用できる。
【００４２】
なお、この発明は上述した実施形態の構成に限られるものではなく、その要旨を逸脱しない範囲で設計変更可能である。
例えば、上述した実施形態においては、下蓋部２３を外側回動位置に回動させた場合に、下蓋部２３の下前板部３１が略水平となる位置まで回動する場合を一例に説明したが、図５に示す他の実施例のように、下蓋部２３を水平位置ＨＬより低い位置まで（例えば、１５度程度）回動させるようにしてもよい。このように構成することで、下蓋部２３の収容部２９に塵芥ｇを収納する際に、利用者が塵芥ｇを持ち上げる高さがより低くなるため、更なる利用者の負担軽減を図ることができる。
【符号の説明】
【００４３】
２  貯留機
２１  投入口
２３  下蓋部
２４  第一支持部
２５  第一回動軸
２６  第二支持部
２７  第二回動軸
２８  上蓋部
２９  収容部
３１  下前板部
３２  下後板部
３６  上前板部
３７  上後板部
４１  リンク部材（リンク機構）
４２  操作ハンドル部
４４  ガスダンパー（ダンパー、補助機構）
【図１】
0005832230.tif 000002
【図２】
0005832230.tif 000003
【図３】
0005832230.tif 000004
【図４】
0005832230.tif 000005
【図５】
0005832230.tif 000006